(57)【要約】【課題】ドアの下降やドア・ドア枠の変形に対応し、常に快適に使用することができるドアガード装置を提供すること。【解決手段】係止アーム１のスライド溝２に係止ピン４をスライド可能に掛け止めるドアガード装置において、係止ピン４を受け座１０に対し、上下移動可能に配設し、任意の移動位置で係止しかつ係止アーム１のずれに伴い移動可能に支持せしめるとともに、係止ピン４を、上又は下への抜き取りにより受け座１０から離脱可能に設ける。【選択図】図５
2005213759.tif 000002
【特許請求の範囲】
【請求項１】
ドア又はドアフレームの一方に揺動可能に取り付けた係止アームのスライド溝に、ドア又はドアフレームのもう一方に固定した係止ピンをスライド可能に掛け止めるドアガード装置において、前記係止ピンを、ドア又はドアフレームに固定される受け座に対し、上下移動可能に配設し、任意の移動位置で係止しかつ前記係止アームのずれに伴い移動可能に支持せしめるとともに、該係止ピンを、上又は下への抜き取りにより受け座から離脱可能に設けたことを特徴とするドアガード装置。
【請求項２】
前記係止ピンをプレート上に立設し、該プレートを受け座に摺動可能に配設するとともに、プレート側又は受け座側に、相手側に吸着するマグネットを設けたことを特徴とする請求項１記載のドアガード装置。
【請求項３】
前記係止ピンをプレート上に立設し、該プレートを受け座に摺動可能に配設するとともに、プレート側と受け座側との間に前記係止ピンを支持するばねを介設したことを特徴とする請求項１記載のドアガード装置。
【発明の詳細な説明】
【技術分野】
【０００１】
本発明は、玄関等のドアを半開きの状態でロックすることができるドアガード装置に関し、特に、ドアの下降やドア・ドア枠の変形に対応し、常に快適に使用することができるドアガード装置に関するものである。
【背景技術】
【０００２】
従来、玄関ドア等の防犯用として、ドア本体に取り付けたシリンダー錠とは別に、防犯の用心鎖としてドアガード装置が設置されている。
このドアガード装置は、例えば、ドア先端部の内側に揺動可能に取り付けられた係止アームと、ドアフレーム側に固定され、係止アームのスライド溝に頭部を掛止して、スライド可能に掛け止められる係止ピンとを備えている。
そして、係止ピンを係止アームのスライド溝に挿入した状態でドアを開くと、ドアは係止ピンがスライド溝を移動する範囲内でしか開くことができず、半開きの状態でロックすることができる。
【０００３】
ところで、永年の使用により、ドアの丁番も磨耗してドアの取付位置が下がるが、上記従来のドアガード装置では、ドア又はドアフレームの一方に取り付けられた係止ピンが一定の位置に固定されることから、このドア位置の変化に対応することができず、年月の経過とともにドアガード装置が使用できなくなるという問題を有している。
また、ドアガード装置の施錠時に、地震等によりドアやドア枠が変形した場合、係止アームと係止ピンが圧迫され、ドアが開閉できなくなるという問題も有している。
【発明の開示】
【発明が解決しようとする課題】
【０００４】
本発明は、上記従来のドアガード装置が有する問題点に鑑み、ドアの下降やドア・ドア枠の変形に対応し、常に快適に使用することができるドアガード装置を提供することを目的とする。
【課題を解決するための手段】
【０００５】
上記目的を達成するため、本発明のドアガード装置は、ドア又はドアフレームの一方に揺動可能に取り付けた係止アームのスライド溝に、ドア又はドアフレームのもう一方に固定した係止ピンをスライド可能に掛け止めるドアガード装置において、前記係止ピンを、ドア又はドアフレームに固定される受け座に対し、上下移動可能に配設し、任意の移動位置で係止しかつ前記係止アームのずれに伴い移動可能に支持せしめるとともに、該係止ピンを、上又は下への抜き取りにより受け座から離脱可能に設けたことを特徴とする。
【０００６】
この場合において、前記係止ピンをプレート上に立設し、該プレートを受け座に摺動可能に配設するとともに、プレート側又は受け座側に、相手側に吸着するマグネットを設けることができる。
【０００７】
また、前記係止ピンをプレート上に立設し、該プレートを受け座に摺動可能に配設するとともに、プレート側と受け座側との間に前記係止ピンを支持するばねを介設することができる。
【発明の効果】
【０００８】
本発明のドアガード装置によれば、係止アームと掛合する係止ピンを、ドア又はドアフレームに固定される受け座に対し、上下移動可能に配設し、任意の移動位置で係止しかつ前記係止アームのずれに伴い移動可能に支持せしめるとともに、該係止ピンを、上又は下への抜き取りにより受け座から離脱可能に設けることから、ドアが下がったりドア・ドア枠が変形した場合でも、係止ピンが係止アームのずれに対応して移動することができ、これにより、係止ピンと係止アームの相対位置を自動的に調整して、ドアガード装置を常に快適に使用できる状態に保つことができる。
また、このドアガード装置は、係止ピンが受け座に対して上下移動できることから、係止アームとの位置決めを容易にして、ドア又はドア枠に対する受座の取り付けを簡単にすることができ、さらに、係止ピンが移動することにより最適に調整された位置で使用されることから、不快な衝撃音や摩擦音の発生を防止することができる。
そして、このドアガード装置は、係止ピンを、上又は下への抜き取りにより受け座から離脱可能に設けることから、例えば、荷物の搬入時など、係止ピンを受け座から取り外してドアの開口面を広くすることができる。
【０００９】
この場合、前記係止ピンをプレート上に立設し、該プレートを受け座に摺動可能に配設するとともに、プレート側又は受け座側に、相手側に吸着するマグネットを設けることにより、任意の移動位置で係止しかつ係止アームのずれに伴い移動するように、係止ピンを好適に支持することができ、また、プレート側にマグネットを設けた場合は、受け座から取り外した係止ピンをドア等に貼り付けてその紛失を防止することができる。
【００１０】
また、前記係止ピンをプレート上に立設し、該プレートを受け座に摺動可能に配設するとともに、プレート側と受け座側との間に前記係止ピンを支持するばねを介設することにより、任意の移動位置で係止しかつ係止アームのずれに伴い移動するように、係止ピンを好適に支持することができる。
【発明を実施するための最良の形態】
【００１１】
以下、本発明のドアガード装置の実施の形態を図面に基づいて説明する。
【実施例１】
【００１２】
図１〜図９に、本発明のドアガード装置の一実施例を示す。
このドアガード装置は、図１〜図４に示すように、ドアＤの先端部内側に揺動可能に取り付けられた係止アーム１と、ドアフレームＦ側に固定され、係止アーム１のスライド溝２に頭部３を掛止して、スライド可能に掛け止められる係止ピン４とを備えている。
そして、前記係止アーム１は、係止ピン４の頭部３が挿通可能な幅の溝５１を備えた係止アーム本体５と、係止ピン４の頭部３が挿通可能な幅のカム溝６１を備えるとともに、係止アーム本体５内で長手方向に摺動可能に配設されたシリンダーカム６と、係止アーム本体５内で溝５１に沿って配設され、シリンダーカム６の移動により溝５１の幅方向に移動して溝幅を変えるロック用部材７と、前記シリンダーカム６を移動させる移動機構８と、該移動機構８を施錠する施錠機構９とを備えている。
【００１３】
係止ピン４は、図５〜図６に示すように、係止ピン４が立設されたプレート１６が、チャンネル状の受け座１０に摺動可能に配設されるとともに、プレート１６の凹部１１に埋設した１対のマグネット１２により、裏面に貼着したシール１３を介して受け座１０に吸着している。
また、係止ピン４の他の形態として、図７に示すように、係止ピン４が立設されたプレート１６を、チャンネル状の受け座１０に摺動可能に配設するとともに、プレート１６側と受け座１０側との間に、係止ピン４を支持するばね１７を介設することもできる。
一方、受け座１０は、上面の溝から係止ピン４を突出させるとともに、左右の側壁により前方への抜けを防止しながらプレート１６を上下方向に案内している。受け座１０の上下端部には、プレート１６に対する抜止用ねじ１８がそれぞれ螺合しており、該抜止用ねじ１８により係止ピン４及びプレート１６の受け座からの抜け止めが図られるとともに、抜止用ねじ１８を外すことによって係止ピン４及びプレート１６の抜き取りを可能としている。
これにより、係止４ピンは、ドアフレームＦに固定される受け座１０に対し、上下移動可能で、任意の移動位置で係止しかつ前記係止アーム１のずれに伴い移動可能に支持されるとともに、上又は下への抜き取りにより受け座１０から離脱可能に設けられる。
【００１４】
また、係止ピン４の係止アーム１が当接する部位には、ゴム状弾性体１９が配設されており、施錠時に係止アーム１が強く当たっても大きな音がしないようにするとともに、衝撃を緩和できるようになっている。
なお、係止ピン４の扁平球状の頭部３は軸部より大径に形成されており、頭部３は、係止アーム本体５の溝５１を挿通するが、ロック用部材７が溝幅を狭めた状態では係止アーム本体５から抜けない状態となる。
【００１５】
係止アーム本体５は、図１〜図３及び図８に示すように、外側を取り囲む断面コ字状のケーシング５２と、該ケーシング５２の内部に配設されるハウジング部材５３とを備えている。
ケーシング５２とハウジング部材５３は、長手方向に形成された係止ピン４の頭部３が挿通可能な幅の溝５１をそれぞれ備え、また、各々の下部中央には、施錠機構９が嵌合する嵌合孔５４が形成されている。
ハウジング部材５３の揺動基部側には、台座１４の枢軸１５が挿通する貫通孔５５が形成されるとともに、前記溝５１の上下にロック用部材７を上下に摺動可能に支持するロックカム用凹部５６と、後述するロック用部材７の突起７１が上下動可能に嵌挿される複数の縦溝５７が形成されている。
また、ハウジング部材５３のロックカム用凹部５６の後方には、シリンダーカム６を左右移動可能に支持するシリンダーカム用凹部５８が形成されている。
【００１６】
シリンダーカム６は、図９（ｃ）〜（ｅ）にも示すように、本実施例ではチャンネル状に形成された金属プレートからなり、カム溝６１の上下に形成された上下１対の前壁６２には、ロック用部材７の突起７１が斜め移動可能に嵌挿される複数の斜溝６３が形成されている。
また、このシリンダーカム６の下部には、後述する移動機構８のギヤ８１と歯合するラック６４が形成されている。
【００１７】
ロック用部材７は、図９（ｈ）〜（ｊ）にも示すように、本実施例では、係止アーム１のケーシング５２の溝５１の長手方向に亘る１対の金属プレートからなり、ケーシング５２前壁６２の後に形成さたロックカム用凹部５６に上下に摺動可能に配設されている。
このロック用部材７は、シリンダーカム６側に突設された複数の突起７１を備え、これらの突起７１は、係止アーム本体５の縦溝５７を貫通してシリンダーカム６の斜溝６３に摺動可能に嵌挿されている。
これにより、シリンダーカム６が左右に移動すると、斜溝６３内で突起７１の位置が変化することになり、その結果、ロック用部材７は溝幅方向に移動することができる。
このロック用部材７は、前記したシリンダーカム６の移動により、溝幅を狭めて係止ピン４の頭部３が抜けない位置と、溝幅を広げて係止ピン４の頭部３が抜ける位置とに選択的に固定される。
【００１８】
移動機構８は、図９（ｆ）〜（ｇ）に示すように、施錠機構９と一体に形成されており、施錠機構９のシリンダー９１の外周部に形成されたギヤ８１を備えている。
このギヤ８１は、施錠機構９をキー等により回転させた際に、シリンダー９１が回転することにより、ラック６４を介してシリンダーカム６を左右に移動させることができる。
【００１９】
施錠機構９は、図９（ｆ）〜（ｇ）に示すように、例えばシリンダー錠からなり、キー等を用いてシリンダー９１を回転させ、ロック位置とロック解除位置とに選択的に固定することができる。
そして、この施錠機構９は、移動機構８とシリンダーカム６を介し、ロック位置でロック用部材７を溝幅を狭めた位置で固定し、ロック解除位置でロック用部材７を溝幅を広げた位置で固定することができる。
なお、本実施例では、施錠機構９のキー（図示省略）は施錠解除状態では施錠機構９から抜けないように配慮されている。
【００２０】
次に、図１０〜図１１を参照して、係止ピンの他の実施例を示す。
この係止ピン４は、内開き扉用ドアガード装置のもので、ドア又はドアフレームの一方に揺動可能に取り付けた係止アーム（図示省略）のスライド溝に、ドア又はドアフレームのもう一方に固定した係止ピン４をスライド可能に掛け止めるように構成されている。
【００２１】
係止ピン４は、係止ピン４が立設されたプレート１６が、チャンネル状の受け座１０に摺動可能に配設されるとともに、プレート１６の凹部１１に埋設した１対のマグネット１２により、裏面に貼着したシール１３を介して受け座１０に吸着している。
受け座１０は、上面の溝から係止ピン４を突出させるとともに、左右の側壁により前方への抜けを防止しながらプレート１６を上下方向に案内している。受け座１０の上下端部には、プレート１６に対する抜止用ねじ１８がそれぞれ螺合しており、該抜止用ねじ１８により係止ピン４及びプレート１６の受け座１０からの抜け止めが図られるとともに、抜止用ねじ１８を外すことによって係止ピン４及びプレート１６の抜き取りを可能としている。
これにより、係止４ピンは、ドアフレームに固定される受け座１０に対し、上下移動可能で、任意の移動位置で係止しかつ前記係止アーム１のずれに伴い移動可能に支持されるとともに、上又は下への抜き取りにより受け座１０から離脱可能に設けられる。
【００２２】
なお、係止ピン４の球状の頭部３は軸部より大径に形成されており、頭部３は、既知のドアガード装置のように、係止アーム基部の挿入穴を挿通するが、この挿入穴に連通する溝の部分では係止アームから抜けない状態となる（図示省略）。
また、係止ピン４及びその球状の頭部３の係止アーム１が当接する部位には、上記実施例と同様に、ゴム状弾性体１９が配設されており、施錠時に係止アーム１が強く当たっても大きな音がしないようにするとともに、衝撃を緩和できるようになっている。
【００２３】
かくして、本実施例のドアガード装置は、係止アーム１と掛合する係止ピン４を、ドア又はドアフレームに固定される受け座１０に対し、上下移動可能に配設し、任意の移動位置で係止しかつ前記係止アーム１のずれに伴い移動可能に支持せしめるとともに、該係止ピン４を、上又は下への抜き取りにより受け座１０から離脱可能に設けることから、ドアが下がったりドア・ドア枠が変形した場合でも、係止ピン４が係止アーム１のずれに対応して移動することができ、これにより、係止ピン４と係止アーム１の相対位置を自動的に調整して、ドアガード装置を常に快適に使用できる状態に保つことができる。
また、このドアガード装置は、係止ピン４が受け座１０に対して上下移動できることから、係止アーム１との位置決めを容易にして、ドア又はドア枠に対する受座の取り付けを簡単にすることができ、さらに、係止ピン４が移動することにより最適に調整された位置で使用されることから、不快な衝撃音や摩擦音の発生を防止することができる。
そして、このドアガード装置は、係止ピン４を、上又は下への抜き取りにより受け座１０から離脱可能に設けることから、例えば、荷物の搬入時など、係止ピン４を受け座１０から取り外してドアの開口面を広くすることができる。
【００２４】
この場合、前記係止ピン４をプレート１６上に立設し、該プレート１６を受け座１０に摺動可能に配設するとともに、プレート１６側又は受け座１０側に、相手側に吸着するマグネット１２を設けることにより、任意の移動位置で係止しかつ係止アーム１のずれに伴い移動するように、係止ピン４を好適に支持することができ、また、プレート１６側にマグネット１２を設けた場合は、受け座１０から取り外した係止ピン４をドア等に貼り付けてその紛失を防止することができる。
【００２５】
また、前記係止ピン４をプレート１６上に立設し、該プレート１６を受け座１０に摺動可能に配設するとともに、プレート１６側と受け座１０側との間に前記係止ピン４を支持するばね１７を介設することにより、任意の移動位置で係止しかつ係止アーム１のずれに伴い移動するように、係止ピン４を好適に支持することができる。
【００２６】
さらに、本実施例のドアガード装置は、係止アーム１に、係止ピン４の頭部３が挿通可能な幅の溝５１を備えた係止アーム本体５と、該係止アーム本体５の溝５１に沿いその長手方向に亘り配設され、溝５１の幅方向に移動して溝幅を変えるロック用部材７と、該ロック用部材７を移動させる移動機構８と、該移動機構８を施錠する施錠機構９とを備えることにより、ロック用部材７を広げた状態で係止ピン４を係止アーム本体５の溝５１に挿入するとともに、キー等によってロック機構を操作し、ロック用部材７を溝幅を狭める位置に移動させることにより、家の外からドアガード装置を施錠することができる。
また、キー等によってロック機構を操作し、ロック用部材７を溝幅を広げる位置に移動させることにより係止アーム本体５の溝５１を広く開放するとともに、係止ピン４を該溝５１から抜くことにより、家の外からドアガード装置を解錠することができる。
そして、係止アーム本体５内を長手方向に移動するシリンダーカム６を配設し、該シリンダーカム６を介してロック用部材７を移動させるように構成することにより、ロック用部材７の移動と固定を容易に行うことができ、さらに、ロック用部材７を溝５１の上下にそれぞれ配設することにより、移動機構８の小さな動作で溝幅を変化させることができ、ドアガード装置の使い勝手を向上させることができる。
【００２７】
以上、本発明のドアガード装置について、複数の実施例に基づいて説明したが、本発明は上記実施例に記載した構成に限定されるものではなく、各実施例に記載した構成を適宜組み合わせたり、係止アーム１として、ハウジング部材５３を用いずケーシング５２に縦溝（長孔）５７を形成したものや単なるスライド溝２のみを形成した通常の係止アームを用いることができる等、その趣旨を逸脱しない範囲において適宜その構成を変更することができる。
【産業上の利用可能性】
【００２８】
以上、本発明のドアガード装置は、ドアの下降やドア・ドア枠の変形に対応し、常に快適に使用できるという特性を有していることから、地震や経年劣化に対処可能なドアガード装置の用途に好適に用いることができる。
【図面の簡単な説明】
【００２９】
【図１】本発明のドアガード装置の一実施例の施錠状態を示し、（ａ）は係止アームの正面透視図、（ｂ）は（ａ）のＡ−Ａ線断面図、（ｃ）は係止ピンを掛止した係止アームの断面図である。
【図２】本発明のドアガード装置の一実施例の解錠状態を示し、（ａ）は係止アームの正面透視図、（ｂ）は同断面図である。  である。
【図３】係止アームを示し、（ａ）は施錠状態の正面図、（ｂ）は解錠状態の正面図である。
【図４】同実施例のドアに取り付けたドアガード装置を示し、（ａ）は係止アームを示す正面図、（ｂ）は係止ピンを係止アーム本体に掛止させた状態を示す平面図、（ｃ）は係止ピンを係止アーム本体に掛止させた状態でドアを開いた平面図、（ｄ）はドアガード装置を解錠して係止ピンを係止アームから抜いた状態を示す平面図である。
【図５】係止ピンを示し、（ａ）〜（ｂ）は受け座の二面図、（ｃ）〜（ｄ）は係止ピン及びプレートを挿入した受け座の二面図、（ｅ）〜（ｇ）は係止ピン及びプレートの受け座に対する動きを示す図である。
【図６】係止ピンを示し、（ａ）〜（ｅ）は係止ピン及びプレートの五面図、（ｆ）〜（ｊ）は受け座の五面図である。
【図７】係止ピンの第２実施例を示し、（ａ）〜（ｅ）は係止ピン及びプレートの五面図、（ｆ）は係止ピン、プレート及び受け座の断面図、（ｇ）〜（ｋ）は受け座の五面図である。
【図８】係止アームを示し、（ａ）はハウジング部材の正面図、（ｂ）は同背面図、（ｃ）はケーシングの正面図、（ｄ）は同背面図、（ｅ）は同側面図である。
【図９】（ａ）は係止アームの台座の正面図、（ｂ）は同側面図、（ｃ）はシリンダーカムの正面図、（ｄ）は同底面図、（ｅ）は同側面図、（ｆ）は施錠機構と移動機構の正面図、（ｇ）は同側面図、（ｈ）はロック用部材の正面図、（ｉ）は同平面図、（ｊ）は同側面図である。
【図１０】係止ピンの第３実施例を示し、（ａ）〜（ｂ）は受け座の二面図、（ｃ）〜（ｄ）は係止ピン及びプレートを挿入した受け座の二面図、（ｅ）〜（ｆ）は係止ピン及びプレートの受け座に対する動きを示す図である。
【図１１】同係止ピンを示し、（ａ）〜（ｄ）は係止ピン及びプレートの五面図、（ｅ）〜（ｈ）は受け座の五面図である。
【符号の説明】
【００３０】
１    係止アーム
２    スライド溝
３    頭部
４    係止ピン
５    係止アーム本体
５１  溝
５２  ケーシング
５３  ハウジング部材
５４  嵌合孔
５５  貫通孔
５６  ロックカム用凹部
５７  縦溝
５８  シリンダーカム用凹部
６    シリンダーカム
６１  カム溝
６２  前壁
６３  斜溝
６４  ラック
７    ロック用部材
７１  突起
８    移動機構
８１  ギヤ
９    施錠機構
９１  シリンダー
１０  受け座
１１  凹部
１２  マグネット
１３  シール
１４  台座
１５  枢軸
１６  プレート
１７  ばね
１８  抜止用ねじ
１９  ゴム状弾性体
【図１】
2005213759.tif 000003
【図２】
2005213759.tif 000004
【図３】
2005213759.tif 000005
【図４】
2005213759.tif 000006
【図５】
2005213759.tif 000007
【図６】
2005213759.tif 000008
【図７】
2005213759.tif 000009
【図８】
2005213759.tif 000010
【図９】
2005213759.tif 000011
【図１０】
2005213759.tif 000012
【図１１】
2005213759.tif 000013